【手続補正書】
【提出日】平成28年4月26日(2016.4.26)
【手続補正１】
【補正対象書類名】特許請求の範囲
【補正対象項目名】全文
【補正方法】変更
【補正の内容】
【特許請求の範囲】
【請求項１】
電流がエネルギー源から一次巻線を通過するとき前記一次巻線に誘導結合するように構成された二次巻線を含む変圧器と、
前記二次巻線に結合されかつ前記二次巻線からの第１のＡＣ電圧を第１のＤＣ電圧に整流するように構成された第１の整流器と、
前記二次巻線に結合されかつ前記二次巻線からの第２のＡＣ電圧を第２のＤＣ電圧に整流するように構成された第２の整流器と、
前記第１および第２の整流器に結合されかつ前記第１および第２のＤＣ電圧を前記第１および第２の整流器から受け取るように構成されたＤＣバスと、
ＤＣ電圧を出力するように構成されかつ前記ＤＣバスに結合されるエネルギー貯蔵デバイスと、
前記エネルギー貯蔵デバイスおよび前記ＤＣバスに結合される双方向ＤＣ／ＡＣ電圧インバータであって、前記第２の整流器を含む双方向ＤＣ／ＡＣ電圧インバータと、
前記双方向ＤＣ／ＡＣ電圧インバータに結合される電気機械デバイスと、
前記双方向ＤＣ／ＡＣ電圧インバータを制御して、前記エネルギー貯蔵デバイスからの前記ＤＣ電圧を前記電気機械デバイスにエネルギーを与えるのに適した第３のＡＣ電圧に反転させるように構成されているコントローラと、
を備え、
前記第１のＡＣ電圧が、前記第２のＡＣ電圧よりも高く、
前記第１のＤＣ電圧が、前記第２のＤＣ電圧よりも高い、
装置。
【請求項２】
前記第１の整流器は、第１の複数の制御可能スイッチを含み、
前記装置は、前記第１の複数の制御可能スイッチを制御して、前記第１のＡＣ電圧を前記第１のＤＣ電圧に整流するように構成されたコントローラをさらに備える、
請求項１記載の装置。
【請求項３】
前記第１の複数の制御可能スイッチの前記制御可能スイッチは、シリコン制御整流器を含む、請求項２記載の装置。
【請求項４】
前記第２の整流器は、第２の複数の制御可能スイッチを含み、
前記コントローラはさらに、前記第２の複数の制御可能スイッチを制御して、前記第２のＡＣ電圧を前記第２のＤＣ電圧に整流するように構成されており、
前記第１および第２の複数の制御可能スイッチの前記制御可能スイッチは、シリコン制御整流器を含む、請求項２記載の装置。
【請求項５】
前記第２の整流器は、前記第２のＡＣ電圧を前記第２のＤＣ電圧に整流するように構成された複数のダイオードを含み、
可変ＤＣ負荷と、
前記ＤＣバスおよび前記可変ＤＣ負荷に結合される結合デバイスとをさらに備え、前記結合デバイスは、前記可変ＤＣ負荷を前記ＤＣバスに選択的に結合するように構成されかつ接触器および電子スイッチのうちの１つを含む、
請求項２記載の装置。
【請求項６】
前記第１および第２の整流器は、前記第１および第２のＡＣ電圧を前記第１および第２のＤＣ電圧にそれぞれ整流するように構成された複数のダイオードを含み、前記装置は、
前記ＤＣバスに結合されかつ前記第１の整流器を前記第２の整流器および前記ＤＣバスに結合するように構成された制御可能スイッチと、
前記第１の整流器を前記ＤＣバスに選択的に結合するように前記制御可能スイッチを制御して、前記第１のＤＣ電圧を前記ＤＣバスに移送させるように構成されたコントローラと
をさらに備える、請求項１乃至５のいずれかに記載の装置。
【請求項７】
前記制御可能スイッチは、シリコン制御整流器およびゲートターンオフサイリスタのうちの１つを含む、請求項６記載の装置。
【請求項８】
前記変圧器のインピーダンスを増加させるように構成された前記二次巻線に結合されるインダクタアレイをさらに含む、請求項１乃至７のいずれかに記載の装置。
【請求項９】
変圧器の二次巻線を第１の整流器および第２の整流器に結合するステップと、
前記第１および第２の整流器をＤＣバスに結合するステップと
を含む、変圧器タップ切替え回路を作製する方法であって、
前記二次巻線が、エネルギー源からの電流が一次巻線を通過するとき前記変圧器の前記一次巻線に誘導結合するように構成され、
前記第１の整流器が、前記二次巻線からの第１のＡＣ電圧を第１のＤＣ電圧に整流するように構成され、
前記第２の整流器が、前記二次巻線からの前記第１のＡＣ電圧よりも低い第２のＡＣ電圧を前記第１のＤＣ電圧よりも低い第２のＤＣ電圧に整流するように構成され、
前記ＤＣバスが、前記第１および第２のＤＣ電圧を前記第１および第２の整流器から受け取るように構成され、
前記第１の整流器を前記ＤＣバスに結合するステップは、
制御可能スイッチを前記第１の整流器と前記ＤＣバスとの間に結合するステップと、
前記第１の整流器を前記ＤＣバスに選択的に結合するように前記制御可能スイッチを制御して、前記第１のＤＣ電圧を前記ＤＣバスに移送させるようにコントローラを構成するステップとを含む、
方法。
【請求項１０】
前記第１の整流器を第１の複数の制御可能スイッチから形成するステップをさらに含み、
前記第１の複数の制御可能スイッチを制御して、前記第１のＡＣ電圧を前記第１のＤＣ電圧に整流するようにコントローラを構成するステップと、
前記第２の整流器を第２の複数の制御可能スイッチから形成するステップをさらに含み、
前記第２の複数の制御可能スイッチを制御して、前記第２のＡＣ電圧を前記第２のＤＣ電圧に整流するように前記コントローラを構成するステップとをさらに含む、
請求項９記載の方法。
【請求項１１】
前記第１および第２の整流器を複数のダイオードから形成するステップをさらに含み、前記ダイオードは、前記第１および第２のＡＣ電圧を前記第１および第２のＤＣ電圧にそれぞれ反転させるように構成されている、請求項９または１０に記載の方法。
【請求項１２】
ＤＣバスと、
前記ＤＣバスに結合される可変ＤＣ負荷と、
電流がエネルギー源から一次巻線を通過するとき前記一次巻線に誘導結合するように構成された一組の二次巻線を含む変圧器と、
前記二次巻線に結合されかつ前記二次巻線からの第１のＡＣ電圧を第１のＤＣ電圧に整流するように構成された第１の整流器と、
前記二次巻線に結合されかつ前記二次巻線からの前記第１のＡＣ電圧よりも低い第２のＡＣ電圧を前記第１のＤＣ電圧よりも低い第２のＤＣ電圧に整流するように構成された第２の整流器と、
前記第１のＤＣ電圧を前記ＤＣバスに供給させるように構成されたコントローラと
を備え、
前記第１の整流器を前記第２の整流器に結合する一対の制御可能スイッチをさらに備え、
前記第１および第２の整流器は、前記第１および第２のＡＣ電圧を前記第１および第２のＤＣ電圧にそれぞれ整流するように構成された複数のダイオードを含み、
前記コントローラは、前記制御可能スイッチを制御して、前記第１のＤＣ電圧を前記ＤＣバスに供給させるように構成されている、
システム。
【請求項１３】
前記第１および第２の整流器は、複数の制御可能スイッチを含み、
前記コントローラは、前記複数の制御可能スイッチを制御して、前記第１および第２のＡＣ電圧を前記第１および第２のＤＣ電圧にそれぞれ整流するように構成されている、
請求項１２記載のシステム。
【請求項１４】
前記第１の整流器は、複数の制御可能スイッチを含み、
前記第２の整流器は、複数のダイオードを含み、
前記コントローラは、前記複数の制御可能スイッチを制御して、前記第１のＡＣ電圧を前記第１のＤＣ電圧に整流するように構成されている、
請求項１２または１３に記載のシステム。
【請求項１５】
電流がエネルギー源から一次巻線を通過するとき前記一次巻線に誘導結合するように構成された二次巻線を含む変圧器と、
前記二次巻線に結合されかつ前記二次巻線からの第１のＡＣ電圧を第１のＤＣ電圧に整流するように構成され、複数のシリコン制御整流器を含む第１の整流器と、
前記二次巻線に結合されかつ前記二次巻線からの第２のＡＣ電圧を第２のＤＣ電圧に整流するように構成された第２の整流器と、
前記第１および第２の整流器に結合されかつ前記第１および第２のＤＣ電圧を前記第１および第２の整流器から受け取るように構成されたＤＣバスと、
前記複数のシリコン制御整流器を制御して前記第１のＡＣ電圧を前記第１のＤＣ電圧に整流させるように構成されているコントローラと、
を備え、
前記第１のＡＣ電圧が、前記第２のＡＣ電圧よりも高く、
前記第１のＤＣ電圧が、前記第２のＤＣ電圧よりも高い、
装置。